(57)【要約】【課題】共通電圧の供給および補償を効率的に行う軟性部材およびこれを含む液晶表示装置を提供する。【解決手段】共通電極ならびに互いに絶縁交差するゲート線およびデータ線を含む液晶表示パネルと接続される軟性部材４００であって、軟性フィルム４１０と、軟性フィルム４１０上に形成されており、データ線との電気的な接続のためのデータリード４４１，４４２と、軟性フィルム４１０上でデータリード４４１，４４２を挟んで形成されており、共通電極に共通電圧を印加するための第１印加リード４３２ａおよび第２印加リード４３２ｂと、軟性フィルム４１０上に形成されており、共通電極に印加された共通電圧をフィードバックするためのフィードバックリード４３１と、を含む。【選択図】図６
2008040472.tif 000002
【特許請求の範囲】
【請求項１】
共通電極ならびに互いに絶縁交差するゲート線およびデータ線を含む液晶表示パネルと接続される軟性部材であって、
軟性フィルムと、
前記軟性フィルム上に形成されており、前記データ線との電気的な接続のためのデータリードと、
前記軟性フィルム上で前記データリードを挟んで形成されており、前記共通電極に共通電圧を印加するための第１印加リードおよび第２印加リードと、
前記軟性フィルム上に形成されており、前記共通電極に印加された前記共通電圧をフィードバックするためのフィードバックリードと、を含むことを特徴とする軟性部材。
【請求項２】
前記第１印加リードおよび前記第２印加リードは、それぞれ複数の共通電圧供給経路を有することを特徴とする請求項１に記載の軟性部材。
【請求項３】
前記フィードバックリードは、前記データリードを挟んで位置する第１フィードバックリードおよび第２フィードバックリードを含むことを特徴とする請求項２に記載の軟性部材。
【請求項４】
前記軟性フィルムに装着されており、前記データリードと電気的に接続されている駆動チップをさらに含むことを特徴とする請求項２または３に記載の軟性部材。
【請求項５】
前記軟性フィルム上に形成されており、前記ゲート線との電気的な接続のためのゲートリードをさらに含むことを特徴とする請求項２または３に記載の軟性部材。
【請求項６】
前記ゲートリードは、前記データリードと前記第１印加リードとの間に形成されている第１ゲートリードと、前記データリードと前記第２印加リードとの間に形成されている第２ゲートリードと、を含むことを特徴とする請求項５に記載の軟性部材。
【請求項７】
共通電極ならびに互いに絶縁交差するゲート線およびデータ線を含む液晶表示パネルと、前記液晶表示パネルに接続されている軟性部材と、を含む液晶表示装置であって、
前記軟性部材は、
軟性フィルムと、
前記軟性フィルム上に形成されており、前記データ線と電気的に接続されているデータリードと、
前記軟性フィルム上で前記データリードを挟んで形成されており、前記共通電極に共通電圧を供給する第１印加リードおよび第２印加リードと、
前記軟性フィルム上に形成されており、前記共通電極に印加された前記共通電圧をフィードバックするためのフィードバックリードと、を含むことを特徴とする液晶表示装置。
【請求項８】
前記液晶表示パネルは、前記ゲート線および前記データ線が形成されている第１基板と、
前記第１基板と対向し、前記共通電極が形成されている第２基板と、を含み、
前記軟性部材は、前記第１基板に接続され、単一に設けられていることを特徴とする請求項７に記載の液晶表示装置。
【請求項９】
前記フィードバックリードは、前記データリードを挟んで位置する第１フィードバックリードおよび第２フィードバックリードを含むことを特徴とする請求項７または８に記載の液晶表示装置。
【請求項１０】
前記第１印加リードおよび前記第２印加リードは、それぞれ複数の共通電圧供給経路を有することを特徴とする請求項７または８に記載の液晶表示装置。
【請求項１１】
前記第１基板は、前記ゲート線の端部に設けられて前記ゲート線に駆動信号を伝達するシフトレジスタを含み、
前記軟性部材は、前記シフトレジスタと電気的に接続されるゲートリードをさらに含むことを特徴とする請求項８に記載の液晶表示装置。
【請求項１２】
前記第１基板は、前記ゲート線および前記データ線と電気的に接続されている画素電極をさらに含み、
前記シフトレジスタは、前記画素電極を挟んで位置する第１シフトレジスタおよび第２シフトレジスタを含み、
前記ゲートリードは、
前記データリードと前記第１印加リードとの間に形成されており、前記第１シフトレジスタと電気的に接続される第１ゲートリードと、
前記データリードと前記第２印加リードとの間に形成されており、前記第２シフトレジスタと電気的に接続される第２ゲートリードと、を含むことを特徴とする請求項１１に記載の液晶表示装置。
【請求項１３】
前記画素電極は、１つの画素をなす第１画素電極、第２画素電極、および第３画素電極を含み、
前記第１画素電極、前記第２画素電極、および前記第３画素電極は、それぞれ異なる前記ゲート線に接続されていることを特徴とする請求項１２に記載の液晶表示装置。
【請求項１４】
前記第１画素電極、前記第２画素電極、および前記第３画素電極のうち２つ画素電極は、同一の前記データ線に接続されていることを特徴とする請求項１３に記載の液晶表示装置。
【請求項１５】
前記第１画素電極、前記第２画素電極、および前記第３画素電極は、順次に駆動されることを特徴とする請求項１３に記載の液晶表示装置。
【請求項１６】
前記軟性部材は、
前記軟性フィルムに装着されており、前記データリードと電気的に接続されている駆動チップをさらに含むことを特徴とする請求項７または８に記載の液晶表示装置。
【請求項１７】
前記第１基板に装着されており、前記データリードと電気的に接続されている駆動チップをさらに含むことを特徴とする請求項８に記載の液晶表示装置。
【請求項１８】
画素電極ならびに互いに絶縁交差するゲート線およびデータ線を含む第１基板と、前記第１基板と対向し、共通電極が形成されている第２基板と、前記第１基板に接続されている軟性部材と、を含む液晶表示装置であって、
前記軟性部材は単一に設けられ、前記データ線と電気的に接続されており、
前記第１基板は、
前記データ線に接続されているデータパッドと、
前記データパッドを挟んで位置し、前記軟性部材から共通電圧の印加を受ける第１印加パッドおよび第２印加パッドと、
前記データパッドを挟んで位置し、前記共通電圧のフィードバックを受ける第１フィードバックパッドおよび第２フィードバックパッドと、をさらに含むことを特徴とする液晶表示装置。
【請求項１９】
前記第１基板は、
前記ゲート線の端部に設けられて前記ゲート線に駆動信号を伝達し、前記画素電極を挟んで位置する第１シフトレジスタおよび第２シフトレジスタと、
前記軟性部材からゲート駆動信号の印加を受けて、それぞれ前記第１シフトレジスタおよび前記第２シフトレジスタに印加する第１ゲートパッドおよび第２ゲートパッドと、をさらに含み、
前記第１ゲートパッドは、前記データパッドと前記第１印加パッドとの間に形成されており、
前記第２ゲートパッドは、前記データパッドと前記第２印加パッドとの間に形成されていることを特徴とする請求項１８に記載の液晶表示装置。
【請求項２０】
前記画素電極は、１つの画素をなす第１画素電極、第２画素電極、および第３画素電極を含み、
前記第１画素電極、前記第２画素電極、および前記第３画素電極は、それぞれ異なる前記ゲート線に接続されていることを特徴とする請求項１９に記載の液晶表示装置。
【請求項２１】
前記第１画素電極、前記第２画素電極、および前記第３画素電極のうち２つの画素電極は、同一の前記データ線に接続されていることを特徴とする請求項２０に記載の液晶表示装置。
【請求項２２】
前記第１画素電極、前記第２画素電極、および前記第３画素電極は、順次に駆動されることを特徴とする請求項２０に記載の液晶表示装置。
【発明の詳細な説明】
【技術分野】
【０００１】
本発明は、軟性部材およびこれを含む液晶表示装置に関する。
【背景技術】
【０００２】
液晶表示装置は、液晶表示パネルを含み、液晶表示パネルは、薄膜トランジスタが形成されている第１基板と、第１基板に対向する第２基板と、これらの基板の間に位置する液晶層と、を含む。
【０００３】
液晶層の液晶分子は、第１基板から印加される画素電圧と第２基板から印加される共通電圧との間に形成される電界によって配列が変化する。
【０００４】
画素電圧および共通電圧は、液晶表示パネルに接続されている回路基板および軟性部材を通じて電力が供給される。軟性部材には、回路基板からの画素電圧および共通電圧を液晶表示パネルに伝達するためのリードが形成されている。
【０００５】
一方、画素電圧は、共通電圧に対してポジティブ極性とネガティブ極性とが交互に印加される。しかし、画素電圧の極性が一方に片寄る場合などに、共通電圧が歪曲されて表示品質が低下する問題がある。
【０００６】
このような問題を解決するためには、画素電圧の補償が必要である。しかし、液晶表示装置の構成が簡単であり軟性部材への画素電圧の供給および補償のための構成を備え難い問題がある。
【発明の開示】
【発明が解決しようとする課題】
【０００７】
従って、本発明の目的は、共通電圧の供給および補償が効率的に行われる軟性部材を提供することにある。
【０００８】
本発明の他の目的は、共通電圧の供給および補償が効率的に行われる液晶表示装置を提供することにある。
【課題を解決するための手段】
【０００９】
上記目的は、共通電極ならびに互いに絶縁交差するゲート線およびデータ線を含む液晶表示パネルと接続される軟性部材であって、軟性フィルムと、前記軟性フィルム上に形成されており、前記データ線との電気的な接続のためのデータリードと、前記軟性フィルム上で前記データリードを挟んで形成されており、前記共通電極に共通電圧を印加するための第１印加リードおよび第２印加リードと、前記軟性フィルム上に形成されており、前記共通電極に印加された前記共通電圧をフィードバックするためのフィードバックリードと、を含む軟性部材によって達成される。
【００１０】
前記第１印加リードおよび前記第２印加リードは、それぞれ複数の共通電圧供給経路を有するのが好ましい。
【００１１】
前記フィードバックリードは、前記データリードを挟んで位置する第１フィードバックリードおよび第２フィードバックリードを含むのが好ましい。
【００１２】
前記軟性フィルムに装着されており、前記データリードと電気的に接続されている駆動チップをさらに含むのが好ましい。
【００１３】
前記軟性フィルム上に形成されており、前記ゲート線との電気的な接続のためのゲートリードをさらに含むのが好ましい。
【００１４】
前記ゲートリードは、前記データリードと前記第１印加リードとの間に形成されている第１ゲートリードと、前記データリードと前記第２印加リードとの間に形成されている第２ゲートリードと、を含むのが好ましい。
【００１５】
上記本発明の他の目的は、共通電極ならびに互いに絶縁交差するゲート線およびデータ線を含む液晶表示パネルと、前記液晶表示パネルに接続されている軟性部材と、を含む液晶表示装置であって、前記軟性部材は、軟性フィルムと、前記軟性フィルム上に形成されており、前記データ線と電気的に接続されているデータリードと、前記軟性フィルム上で前記データリードを挟んで形成されており、前記共通電極に共通電圧を供給する第１印加リードおよび第２印加リードと、前記軟性フィルム上に形成されており、前記共通電極に印加された前記共通電圧をフィードバックするためのフィードバックリードと、を含む液晶表示装置によって達成される。
【００１６】
前記液晶表示パネルは、前記ゲート線および前記データ線が形成されている第１基板と、前記第１基板と対向し、前記共通電極が形成されている第２基板と、を含み、前記軟性部材は、前記第１基板に接続され、単一に設けられているのが好ましい。
【００１７】
前記フィードバックリードは、前記データリードを挟んで位置する第１フィードバックリードおよび第２フィードバックリードを含むのが好ましい。
【００１８】
前記第１印加リードおよび前記第２印加リードは、それぞれ複数の共通電圧供給経路を有するのが好ましい。
【００１９】
前記第１基板は、前記ゲート線の端部に設けられて前記ゲート線に駆動信号を伝達するシフトレジスタを含み、前記軟性部材は、前記シフトレジスタと電気的に接続されるゲートリードをさらに含むのが好ましい。
【００２０】
前記第１基板は、前記ゲート線および前記データ線と電気的に接続されている画素電極をさらに含み、前記シフトレジスタは、前記画素電極を挟んで位置する第１シフトレジスタおよび第２シフトレジスタを含み、前記ゲートリードは、前記データリードと前記第１印加リードとの間に形成されており、前記第１シフトレジスタと電気的に接続される第１ゲートリードと、前記データリードと前記第２印加リードとの間に形成されており、前記第２シフトレジスタと電気的に接続される第２ゲートリードと、を含むのが好ましい。
【００２１】
前記画素電極は、１つの画素をなす第１画素電極、第２画素電極、および第３画素電極を含み、前記第１画素電極、前記第２画素電極、および前記第３画素電極は、それぞれ異なる前記ゲート線に接続されているのが好ましい。
【００２２】
前記第１画素電極、前記第２画素電極、および前記第３画素電極のうち２つの画素電極は、同一の前記データ線に接続されているのが好ましい。
【００２３】
前記第１画素電極、前記第２画素電極、および前記第３画素電極は、順次に駆動されるのが好ましい。
【００２４】
前記軟性部材は、前記軟性フィルムに装着されており、前記データリードと電気的に接続されている駆動チップをさらに含むのが好ましい。
【００２５】
前記第１基板に装着されており、前記データリードと電気的に接続されている駆動チップをさらに含むのが好ましい。
【００２６】
上記本発明の他の目的は、画素電極ならびに互いに絶縁交差するゲート線およびデータ線を含む第１基板と、前記第１基板と対向し、共通電極が形成されている第２基板と、前記第１基板に接続されている軟性部材と、を含む液晶表示装置であって、前記軟性部材は単一に設けられ、前記データ線と電気的に接続されており、前記第１基板は、前記データ線に接続されているデータパッドと、前記データパッドを挟んで位置し、前記軟性部材から共通電圧の印加を受ける第１印加パッドおよび第２印加パッドと、前記データパッドを挟んで位置し、前記共通電圧のフィードバックを受ける第１フィードバックパッドおよび第２フィードバックパッドと、をさらに含む液晶表示装置によって達成される。
【００２７】
前記第１基板は、前記ゲート線の端部に設けられて前記ゲート線に駆動信号を伝達し、前記画素電極を挟んで位置する第１シフトレジスタおよび第２シフトレジスタと、前記軟性部材からゲート駆動信号の印加を受けて、それぞれ前記第１シフトレジスタおよび前記第２シフトレジスタに印加する第１ゲートパッドおよび第２ゲートパッドと、をさらに含み、前記第１ゲートパッドは、前記データパッドと前記第１印加パッドとの間に形成されており、前記第２ゲートパッドは、前記データパッドと前記第２印加パッドとの間に形成されているのが好ましい。
【００２８】
前記画素電極は、１つの画素をなす第１画素電極、第２画素電極、および第３画素電極を含み、前記第１画素電極、前記第２画素電極、および前記第３画素電極は、それぞれ異なる前記ゲート線に接続されているのが好ましい。
【００２９】
前記第１画素電極、前記第２画素電極、および前記第３画素電極のうち２つの画素電極は、同一の前記データ線に接続されているのが好ましい。
【００３０】
前記第１画素電極、前記第２画素電極、および前記第３画素電極は、順次に駆動されるのが好ましい。
【発明の効果】
【００３１】
本発明によれば、共通電圧の供給および補償が効率的に行われる軟性部材が提供される。
【００３２】
また、共通電圧の供給および補償が効率的に行われる液晶表示装置が提供される。
【発明を実施するための最良の形態】
【００３３】
以下、添付図面を参照して本発明をさらに詳しく説明する。
【００３４】
詳細な説明に先立ち、いろいろな実施形態において同一の構成要素に対しては同一の参照番号を付与した。また、同一の構成要素については第１実施形態で代表的に説明し、他の実施形態では説明を省略する。
【００３５】
図１は、本発明の第１実施形態による液晶表示装置の斜視図である。図１を参照すれば、本発明の第１実施形態による液晶表示装置１は、液晶表示パネル１０および駆動部２０を含む。
【００３６】
液晶表示パネル１０は、互いに結合されている第１基板１００および第２基板２００を含む。第１基板１００は、第２基板２００よりも多少大きく設けられている。液晶表示パネル１０は、第１基板１００と第２基板２００とを電気的に接続するショーティングバー３１０，３２０を含む。
【００３７】
駆動部２０は、軟性部材４００および回路基板５００を含む。軟性部材４００は、液晶表示パネル１０と回路基板５００とを接続する。軟性部材４００は、第１基板１００の端部に接続されている。
【００３８】
次に、図２〜図４を参照して、液晶表示パネル１０について説明する。
【００３９】
液晶表示パネル１０は、表示領域と、表示領域を囲んでいる非表示領域とに分けられる。
【００４０】
以下、表示領域の構成を説明する。
【００４１】
第１絶縁基板１１０上に互いに絶縁交差するゲート線１２１およびデータ線１４１が形成されている。ゲート線１２１とデータ線１４１との交差領域には、薄膜トランジスタ１５０が形成されている。薄膜トランジスタ１５０は、ゲート線１２１およびデータ線１４１に電気的に接続されている。
【００４２】
薄膜トランジスタ１５０上には、保護膜１６０が形成されている。保護膜１６０には、薄膜トランジスタ１５０を露出させるコンタクトホール１６１が形成されている。
【００４３】
透明な電導物質からなる画素電極１７１は、コンタクトホール１６１を通じて薄膜トランジスタ１５０と接続されている。画素電極１７１は、ゲート線１２１の延長方向に沿って長く延長されている長方形形態である。
【００４４】
データ線１４１の延長方向に隣接配置された３つの画素電極１７１が１つの画素をなす。１つの画素をなす各画素電極１７１は、互いに異なるゲート線１２１に接続されている。データ線１４１の延長方向に沿って、画素電極１７１は、左側のデータ線１４１と右側のデータ線１４１に交互に接続されている。
【００４５】
従来は、１つの画素をなす３つの画素電極１７１がゲート線１２１の延長方向に配置されており、各画素電極１７１は互いに異なるゲート線１２１に接続された。本発明によれば、同一の画素数を実現するために、ゲート線１２１は従来の３倍に増加し、データ線１４１は１/３に減少する。
【００４６】
第２絶縁基板２１０には、薄膜トランジスタ１５０に対応する内部ブラックマトリックス２２０が形成されている。隣接する内部ブラックマトリックス２２０の間にはカラーフィルター２３０が形成されている。カラーフィルター２３０の上部には、オーバーコート層２４０および共通電極２５０が順次に形成されている。
【００４７】
以下、非表示領域の構成を説明する。
【００４８】
表示領域の左側および右側の非表示領域には、ゲート線１２１と接続されているシフトレジスタ１２２が形成されている。シフトレジスタ１２２は、ゲート線１２１にゲートオン電圧およびゲートオフ電圧を印加するなどしてゲート線１２１を駆動する。
【００４９】
シフトレジスタ１２２は、表示領域の左側に位置した第１シフトレジスタ１２２ａおよび表示領域の右側に位置した第２シフトレジスタ１２２ｂを含む。図４を参照すれば、第１シフトレジスタ１２２ａには奇数番目のゲート線１２１が接続されており、第２シフトレジスタ１２２ｂには偶数番目のゲート線１２１が接続されている。図示していないが、各第１シフトレジスタ１２２ａは互いに電気的に接続されており、第２シフトレジスタ１２２ｂも互いに電気的に接続されている。
【００５０】
一般に、データ線１４１を駆動するための回路は、ゲート線１２１を駆動するための回路よりも複雑で高価である。本発明によれば、データ線１４１の数が１／３に減少し、データ線１４１の駆動のための回路を減少させて製造費用を減少させることができる。
【００５１】
データ線１４１と異なり、ゲート線１２１の数は３倍に増えて、ゲート線１２１を駆動するための回路費用は増加する可能性がある。しかし、本発明によれば、ゲート線１２１は、第１基板１１０上に形成されるシフトレジスタ１２２を利用して駆動されるため、回路費用が増加しない。
【００５２】
一方、画素電極１６１がゲート線１２１の延長方向に長く延長されていて、ゲート線１２１の間の間隔は減少している。これによって、シフトレジスタ１２２を形成する空間が制限されるが、本発明によれば、シフトレジスタ１２２は表示領域の両側に分けて設けられるので空間の確保が容易である。
【００５３】
次に、図５を参照して、液晶表示装置１の駆動を説明する。
【００５４】
（ｎ−１）番目のゲート線１２１にゲートオン電圧が供給されると、ここに接続されている薄膜トランジスタ１５０がオンされる。これによって、（ｎ−１）番目のゲート線１２１に接続されている（ａ）行の画素電極１７１がオンされる。
【００５５】
以後、（ｎ）番目のゲート線１２１にゲートオン電圧が供給され、これによって（ｎ）番目のゲート線１２１に接続された（ｂ）行の画素電極１７１がオンされる。
【００５６】
以後、同じ方法で、（ｎ＋１）番目のゲート線１２１にゲートオン電圧が供給されると、（ｃ）行の画素電極がオンされる。これによって、１つの画素（ｐｉｘｅｌ）表示が完成される。１つの画素表示のために３つのゲート線１２１が順次に駆動され、データ線１４１は各画素電極１７１に該当するデータ電圧をゲート線１２１の駆動に合わせて供給する。
【００５７】
この時、画素電極１７１に印加される電圧の極性は、ドット反転（ｄｏｔ  ｉｎｖｅｒｓｉｏｎ）が行われるように調節される。
【００５８】
以上で説明したように、１つの画素をなす３つの画素電極１７１は、同時に駆動されず順次に駆動される。また、３回のゲートオン信号で１つの画素が表現される。
【００５９】
次に、再び、図２乃至〜図４を参照して、非表示領域を説明する。
【００６０】
表示領域の上部の非表示領域のうちの軟性部材４００と接続される連結領域には、フィードバックパッド１３１、印加パッド１３２、ゲートパッド１３３、およびデータパッド１４２が形成されている。
【００６１】
フィードバックパッド１３１は、連結領域の最外郭に位置し、データパッド１４２の両側にそれぞれ形成されている第１フィードバックパッド１３１ａおよび第２フィードバックパッド１３１ｂを含む。
【００６２】
印加パッド１３２は、フィードバックパッド１３１とゲートパッド１３３との間に位置し、データパッド１４２の両側にそれぞれ形成されている第１印加パッド１３２ａおよび第２印加パッド１３２ｂを含む。各印加パッド１３２ａ，１３２ｂは、複数の電圧印加経路を有するように一対で設けられている。
【００６３】
ゲートパッド１３３は、データパッド１４２と対向しており、データパッド１４２の両側にそれぞれ形成されている第１ゲートパッド１３３ａおよび第２ゲートパッド１３３ｂを含む。
【００６４】
その他、表示領域の外郭には、フィードバックショーティングバーパッド１３４および印加ショーティングバーパッド１３５が形成されている。
【００６５】
フィードバックショーティングバーパッド１３４は、表示領域の左側上部に位置する第１フィードバックショーティングバーパッド１３４ａおよび表示領域の右側上部に位置する第２フィードバックショーティングバーパッド１３４ｂを含む。
【００６６】
印加ショーティングバーパッド１３５は、表示領域の左側上部に位置する第１印加ショーティングバーパッド１３５ａ、表示領域の左側下部に位置する第２印加ショーティングバーパッド１３５ｂ、表示領域の右側上部に位置する第３印加ショーティングバーパッド１３５ｃ、および表示領域の右側下部に位置する第４印加ショーティングバーパッド１３５ｄを含む。
【００６７】
以下、各構成要素間の電気的接続を説明する。第１実施形態で、第１基板１００の左側と右側とは対称であるので、左側の接続を中心に説明する。
【００６８】
第１フィードバックパッド１３１ａは、第１フィードバックショーティングバーパッド１３４ａと接続される。一対の第１印加パッド１３２ａのうちの１つは、第１印加ショーティングバーパッド１３５ａと接続され、他の１つは、第２印加ショーティングバーパッド１３５ｂと接続される。第１ゲートパッド１３３ａは、第１シフトレジスタ１２２ａと接続され、データパッド１４２は、各データ線１４１に接続される。
【００６９】
フィードバックショーティングバーパッド１３４は、接触部材１７２を通じてフィードバックショーティングバー３１０と接続され、フィードバックショーティングバー３１０は、共通電極２５０と接続されている。接触部材１７２は、画素電極１７１と同様に透明な電導物質からなることができる。
【００７０】
印加ショーティングバーパッド１３５は、印加ショーティングバー３２０と接続されており、印加ショーティングバー３２０は、共通電極２５０に接続されている。
【００７１】
以上で説明した両基板１００，２００は、シーラント３３０によって接着されており、両基板１００，２００およびシーラント３３０が形成する空間には液晶層３４０が形成されている。
【００７２】
液晶パネル１０中の説明していない構成要素のうち、第１基板１００の連結配線１３７は、以上で説明したように各構成要素を電気的に接続する。第２基板２００の外郭ブラックマトリックス２２２は、第２基板２００の周縁部に沿って形成されている。
【００７３】
次に、図６を参照して、軟性部材４００について説明する。
【００７４】
軟性部材４００は、軟性フィルム４１０、駆動チップ４２０、および軟性フィルム４１０に形成されているリード４３１，４３２，４３３，４４１，４４２を含む。
【００７５】
軟性フィルム４１０は、フレキシブルなプラスチック素材からなることができる。
【００７６】
駆動チップ４２０は、軟性フィルム４１０に装着されており、第１データリード４４１および第２データリード４４２と接続されている。第１データリード４４１は、回路基板５００と接続され、第２データリード４４２は、データパッド１４２と接続される。
【００７７】
本実施形態の軟性部材４００は単一に設けられており、全体のデータパッド１４２と接続されている。軟性部材４００を単一に設ければ、液晶表示装置１の製造費用を減少させることができる。
【００７８】
フィードバックリード４３１、印加リード４３２、およびゲートリード４３３は、データリード４４１，４４２を中心に対称に形成されている。
【００７９】
フィードバックリード４３１は、軟性フィルム４１０の最外郭に位置し、データリード４４１，４４２の両側に形成されている第１フィードバックリード４３１ａおよび第２フィードバックリード４３１ｂを含む。
【００８０】
印加リード４３２は、フィードバックリード４３１とゲートリード４３３との間に位置し、データリード４４１，４４２の両側に形成されている第１印加リード４３２ａおよび第２印加リード４３２ｂを含む。印加リード４３２ａ，４３２ｂのそれぞれは、複数の電圧印加経路を有するように一対で設けられている。
【００８１】
ゲートリード４３３は、データリード４４１，４４２と対向しており、データリード４４１，４４２の両側に形成されている第１ゲートリード４３３ａおよび第２ゲートリード４３３ｂを含む。
【００８２】
以上で説明した軟性部材４００の下部連結領域は、第１基板１００の連結領域と接続され、軟性部材４００の上部連結領域は、回路基板５００と接続される。第１基板１００との接続によって、フィードバックリード４３１はフィードバックパッド１３１に接続され、印加リード４３２は印加パッド１３２に接続され、ゲートリード４３３はゲートパッド１３３に接続され、第２データリード４４２はデータパッド１４２に接続される。図示していないが、以上の接続には異方性導電膜（ａｎｉｓｏｔｒｏｐｉｃ  ｃｏｎｄｕｃｔｉｖｅ  ｆｉｌｍ）を利用することができる。
【００８３】
ゲートリード４３３から印加されたゲート駆動信号は、ゲートパッド１３３と連結配線１３７を経てシフトレジスタ１２２に伝達される。
【００８４】
第２データリード４４２から印加されたデータ駆動信号は、データパッド１４２を経てデータ線１４１に伝達される。
【００８５】
以上で説明した第１実施形態において、軟性部材４００を利用した共通電圧印加および補償を説明すると以下の通りである。
【００８６】
回路基板５００から軟性部材４００を通じて印加された共通電圧は、印加リード４３２および印加パッド１３２を経て液晶表示パネル１０に伝達される。印加パッド１３２に伝達された共通電圧は、連結配線１３７、印加ショーティングバーパッド１３５、および印加ショーティングバー３２０を経て共通電極２５０に印加される。共通電圧は、４つの経路を通じて伝達され、共通電極２５０の４つの角部で同時に印加される。
【００８７】
共通電極２５０に印加された共通電圧は、フィードバックショーティングバー３１０、フィードバックショーティングバーパッド１３４、連結配線１３７、およびフィードバックパッド１３１を経て軟性部材のフィードバックリード４３１に伝達される。
【００８８】
フィードバックされた共通電圧は、共通電圧印加部（図示せず）に伝達され、共通電圧印加部は、フィードバックされた共通電圧に基づいて印加される共通電圧を調節する。共通電圧印加部は、回路基板５００に設けられることができる。
【００８９】
以上で説明した第１実施形態によれば、単一の軟性部材４００を利用して共通電圧印加と共通電圧フィードバックを行うことができる。特に、共通電圧は、共通電極２５０の４つの角部で同時に印加され、共通電極２５０は共通電圧を安定的に維持できる。また、単一の軟性部材４００のみでゲート線１２１およびデータ線１４１を全て駆動することができる。
【００９０】
次に、図７および図８を参照して、本発明の第２実施形態による液晶表示装置を説明する。
【００９１】
本発明の第２実施形態による第１基板１００では、印加パッド１３２が連結領域の最外郭に位置し、フィードバックパッド１３１は、印加パッド１３２とゲートパッド１３４との間に位置する。
【００９２】
第１基板１００の変化に対応して軟性部材４００の構造も変化する。つまり、印加リード４３２が下部連結領域の最外郭に位置し、フィードバックリード４３１は印加リード４３２とゲートリード４３３との間に位置する。
【００９３】
次に、図９および図１０を参照して、本発明の第３実施形態による液晶表示装置を説明する。
【００９４】
本発明の第３実施形態による第１基板１００では、各印加パッド１３２ａ，１３２ｂが３つずつ設けられている。また、印加パッド１３２ａ，１３２ｂに接続される印加ショーティングバーパッド１３５も６つ設けられている。第５印加ショーティングバーパッド１３５ｅは表示領域の左側中間部分に位置し、第６印加ショーティングバーパッド１３５ｆは表示領域の右側中間部分に位置する。
【００９５】
第１基板１００の変化に対応して軟性部材４００の構造も変化する。つまり、各印加リード４３２ａ，４３２ｂも３つずつ設けられている。
【００９６】
以上のとおり、第３実施形態によれば、共通電極２５０のより多くの部分で共通電圧を印加できて、共通電圧の均一度が向上する。
【００９７】
次に、図１１〜図１３を参照して、本発明の第４実施形態による液晶表示装置を説明する。
【００９８】
図１１に示すように、本発明の第４実施形態では、駆動チップ４２０が第１基板１００に装着されている。
【００９９】
図１２に示すように、軟性部材４００のデータパッド１４２は上部に位置する第１データパッド１４２ａおよび下部に位置する第２データパッド１４２ｂを含む。データ線１４１は、第２データパッド１４２ｂに接続されている。
【０１００】
第１データパッド１４２ａの上部は、軟性部材４００のデータリード４４３と接続される。
【０１０１】
駆動チップ４２０は、第１データパッド１４２ａの下部から信号の印加を受けて、第２データパッド１４２ｂにデータ駆動信号を印加する。
【０１０２】
図１３に示した軟性部材４００のデータリード４４３は、回路基板５００と第１データパッド１４２ａの上部とを接続する。
【０１０３】
以上の実施形態によれば軟性部材４００は左右対称に構成されるが、本発明はこれに限定されず、軟性部材４００は左右非対称に構成されることができる。この場合、第１基板１００の構成が軟性部材４００に対応して変化するのはもちろんである。
【０１０４】
本発明のいくつかの実施形態が図示されて説明されたが、本発明の属する技術分野における通常の知識を有する当業者であれば、本発明の原則や精神から外れずに本実施形態を変形することができることが分かる。本発明の範囲は、添付された請求項とその均等物によって決められる。
【図面の簡単な説明】
【０１０５】
【図１】本発明の第１実施形態による液晶表示装置の斜視図である。
【図２】本発明の第１実施形態による第１基板の配置図である。
【図３】図２のIII−III線に沿った断面図である。
【図４】本発明の第１実施形態による液晶表示装置における画素電極と配線との接続を示した図面である。
【図５】本発明の第１実施形態による液晶表示装置の駆動方法を説明するための図面である。
【図６】本発明の第１実施形態による軟性部材の正面図である。
【図７】本発明の第２実施形態による第１基板の配置図である。
【図８】本発明の第２実施形態による軟性部材の正面図である。
【図９】本発明の第３実施形態による第１基板の配置図である。
【図１０】本発明の第３実施形態による軟性部材の正面図である。
【図１１】本発明の第４実施形態による液晶表示装置の斜視図である。
【図１２】本発明の第４実施形態による第１基板の要部配置図である。
【図１３】本発明の第４実施形態による軟性部材の正面図である。
【符号の説明】
【０１０６】
１０    液晶表示パネル、
２０    駆動部、
１００    第１基板、
１２１    ゲート線、
１２２    シフトレジスタ、
１３１〜１３５    パッド、
１４１    データ線、
２００    第２基板、
２５０    共通電極、
４００    軟性部材、
３１０，３２０    ショーティングバー、
３３０    シーラント、
４１０    軟性フィルム、
４２０    駆動チップ、
４３１〜４３３，４４１，４４２    リード、
５００    回路基板。
【図１】
2008040472.tif 000003
【図２】
2008040472.tif 000004
【図３】
2008040472.tif 000005
【図４】
2008040472.tif 000006
【図５】
2008040472.tif 000007
【図６】
2008040472.tif 000008
【図７】
2008040472.tif 000009
【図８】
2008040472.tif 000010
【図９】
2008040472.tif 000011
【図１０】
2008040472.tif 000012
【図１１】
2008040472.tif 000013
【図１２】
2008040472.tif 000014
【図１３】
2008040472.tif 000015